(57)【特許請求の範囲】
【請求項１】
見出し項目と明細項目とを対応付けて記憶する項目テーブルと、
前記項目テーブルに記憶した明細項目を表示領域に表示する表示手段と、
前記表示手段で表示した明細項目が選択されたことに対応して、既に選択エリアが表示されていたときで、かつ、該選択エリアが所定数を超えない場合には該選択エリアを拡大して該選択された明細項目を表示し、所定数を超える時には該選択エリア内の他の条件明細項目をスクロールして追い出した後に該選択された明細項目を表示し、既に選択エリアが表示されていなかったときは新たに選択エリアを生成して該選択された明細項目を表示すると共に、該明細項目に対応付けて前記項目テーブルに記憶された見出し項目に対応付けて前記アイコンテーブルに記憶されたアイコンを該明細項目に付加して表示する明細選択手段と、
前記明細選択手段で選択エリアに表示した明細項目が所定数を超えたか判定する判定手段と、
前記判定手段で所定数を超えたと判定した場合には該選択エリアにスクロールバーを表示する選択エリアスクロール手段と
を備えたことを特徴とする情報比較装置。
【請求項２】
情報比較装置が、
見出し項目と明細項目とを対応付けて記憶する項目テーブルに記憶された明細項目を表示領域に表示する表示ステップと、
前記表示ステップで表示した明細項目が選択されたことに対応して、既に選択エリアが表示されていたときで、かつ、該選択エリアが所定数を超えない場合には該選択エリアを拡大して該選択された明細項目を表示し、所定数を超える時には該選択エリア内の他の条件明細項目をスクロールして追い出した後に該選択された明細項目を表示し、既に選択エリアが表示されていなかったときは新たに選択エリアを生成して該選択された明細項目を表示する明細選択ステップと、
前記明細選択ステップで選択エリアに表示した明細項目が所定数を超えたか判定する判定ステップと、
前記判定ステップで所定数を超えたと判定した場合には該選択エリアにスクロールバーを表示する選択エリアスクロールステップと
を実行することを特徴とする情報比較方法。
【発明の詳細な説明】
【０００１】
【産業上の利用分野】
本発明は、情報を比較する情報比較装置および情報比較方法に関するものである。
【０００２】
【従来の技術】
従来、比較対象の比較項目と条件項目とをＸ軸とＹ軸の２次元の表に展開して表示し、視覚的に比較を行う際に、条件項目が多い場合、表示装置の画面上に条件項目を全て一度に表示することができない。
【０００３】
このため、画面上に表示されていない条件項目を表示するために、Ｙ軸方向に縦スクロールを行い、所望の条件項目の部分を表示するようにしていた。
【０００４】
【発明が解決しようとする課題】
上述したように、画面上に表示されていない条件項目を縦スクロールによって表示していると、ある条件項目と離れた他の条件項目とを比較する場合、ある条件項目の内容を覚え、スクロールして他の条件項目の内容を表示して比較することとなり、前の条件項目が見えなくなってしまい、比較し難いという問題があった。
【０００５】
本発明は、これらの問題を解決するため、選択した条件明細項目を選択エリアに表示およびグループを表すアイコンを併せて表示すると共にスクロールして他の所望の条件明細項目を表示し、簡単な操作によって複数の条件明細項目を同時表示して視覚的に比較可能にすることを目的としている。
【０００６】
【課題を解決するための手段】
図１を参照した課題を解決するための手段を説明する。
図１において、情報比較装置１は、情報を比較するものであって、２ないし５から構成されるものである。
【０００７】
条件明細選択手段２は、選択された条件明細項目を選択エリア内に表示させるものである。
スクロールバー変更手段３は、選択エリア内の条件明細項目をスクロールするスクロールバーを生成して表示させるものである。
【０００８】
スクロール手段４は、選択エリア内の条件明細項目をスクロールするものである。
条件項目テーブル６は、条件明細項目と総称する条件見出し項目を対に登録するものである。
【０００９】
アイコンテーブル８は、アイコンを予め登録するものである。
表示手段１０は、画面を表示するものである。
【００１０】
【作用】
本発明は、図１に示すように、条件明細項目と総称する条件見出し項目が表示された画面上で任意の条件明細項目が選択されたことに対応して、条件明細選択手段２が選択された条件明細項目について、選択エリアが生成されていたときはその中あるいは選択エリアに表示する余裕がないときで所定領域を越えていないときは拡大して表示し、一方、選択エリアが生成されていなかったときは新たに選択エリアを生成してその中に表示させ、スクロールバー変更手段３が選択エリアを新たに生成したときに、この新たに生成した選択エリア内の条件明細項目をスクロールするスクロールバーを生成して表示、あるいは選択エリア内に条件明細項目が表示できなくなったときにスクロールバーを生成して表示させるようにしている。
【００１１】
これらの際に、選択エリアに設けたスクロールバーについて選択されたことに対応して、スクロール手段４が選択された条件明細項目をスクロールして選択エリア内に表示するようにしている。
【００１２】
また、選択されて選択エリア内に表示された条件明細項目に、総称する条件見出し項目を表すアイコンを付加して表示するようにしている。
また、条件明細項目と総称する条件見出し項目を同じ列に表示すると共に、異なる形のアイコンをそれぞれ付加して表示し、区別し得るようにしている。
【００１３】
従って、選択した条件明細項目を選択エリアに表示およびグループを表すアイコンを併せて表示すると共にスクロールして他の条件明細項目を同時に表示して視覚的に比較可能とすることにより、所望の条件明細項目を複数同時に表示して視覚的な比較を容易かつ簡単な操作で実現することができるようになった。
【００１４】
【実施例】
次に、図１から図８を用いて本発明の実施例の構成および動作を順次詳細に説明する。
【００１５】
図１は、本発明の１実施例構成図を示す。
図１において、出力手段５は、情報を表示装置９に表示させたり、印字装置１１に印字させたり、音声出力装置１２に音声を発声させたりなどするものである。
【００１６】
条件項目テーブル６は、条件見出し項目と条件明細項目と条件詳細項目を対応づけて予め登録するものであって、後述する図３の（ａ）に示すように、条件明細項目シーケンス番号に対応づけて、
・条件見出し項目
・条件明細項目
・条件詳細項目
を予め登録するものである。
【００１７】
比較項目テーブル７は、比較項目を予め登録するものであって、例えば後述する図３の（ｂ）に示すように、項目名に対応づけて
・条件明細項目シーケンス番号
を予め登録するものである。
【００１８】
アイコンテーブル８は、アイコンを予め登録するものであって、例えば後述する図３の（ｃ）に示すように、シーケンス番号に対応づけて、
・条件見出し項目
・アイコン（条件見出し項目のアイコンは□、条件明細項目のアイコンは○の中に特徴を表す記号、文字などを表現する）
を予め登録するものである。
【００１９】
入力装置１０は、キーボードやマウスなどの各種入力装置である。
印字装置１１は、表などを用紙に印字するものである。
音声出力装置１２は、静止画、動画および音声を登録した図示外の条件詳細テーブルから取り出した音声データをもとに音声を発声させるものである。
【００２０】
次に、図２のフローチャートに示す順序に従い、図１の条件項目テーブル６およびアイコンテーブル８の登録について詳細に説明する。
図２において、Ｓ１は、条件見出し項目と条件明細項目の対を登録する。これは、後述する図３の（ａ）に示すように、条件明細項目シーケンス番号に対応づけて、
・条件見出し項目：例えばタイヤ＆ホイール
・条件明細項目：例えば195/65R14 89S(14×6JJスチールホイール)
・条件詳細項目
の対を登録する。
【００２１】
Ｓ２は、条件見出し項目ごとにアイコンを作成して登録する。これは、後述する図３の（ｃ）に示すように、シーケンス番号に対応づけて、
・条件見出し項目：例えばタイヤ＆ホイール
・アイコン：タイヤとホイルを表すアイコン
の対を登録する。
【００２２】
Ｓ３は、Ｓ１で登録した条件項目テーブル６の条件見出し項目をキーにソートする。これは、運用時に検索し易くするためにＳ１で登録した条件項目テーブル６の条件見出し項目をキーにソートしておく。
【００２３】
Ｓ４は、アイコンの数Ｎを数えて登録しておく。これは、運用時にアイコンの数Ｎを数えて動的に所定の固定のアイコン目次の領域を均等分割するので、そのために必要なアイコン数Ｎを予め数えて記憶しておく。
【００２４】
以上によって、図３の（ａ）の条件項目テーブル６および図３の（ｃ）のアイコンテーブル８が作成されることとなる。ここでは、条件項目テーブル６をＹ軸方向に表示し、比較項目をＸ軸方向に表示するので、当該比較項目について、同様にして図３の（ｂ）に示すように比較項目テーブル７に予め登録しておく。
【００２５】
図３は、本発明のテーブル例を示す。
図３の（ａ）は、条件項目テーブル（主要装備テーブル）の例を示す。これは、自動車の条件項目テーブルであって、自動車の主要装備を条件項目として予め登録したものである。ここでは、図示のように、条件明細項目シーケンス番号に対応づけて図示の下記の項目を予め登録する。
【００２６】
・条件見出し項目：主要装備グループ
・条件明細項目：主要装備名
・条件詳細項目：静止画、動画、音声
図３の（ｂ）は、比較項目テーブル（グレードテーブル）の例を示す。これは、自動車の比較項目テーブルであって、自動車のグレードを比較項目として予め登録したものである。ここでは、図示のように、項目名であるグレード名に対応づけて図示の下記の項目を予め登録する。
【００２７】
・条件明細項目シーケンス番号：
図３の（ｃ）は、アイコンテーブルの例を示す。これは、自動車の条件項目を分かり易く表した絵をアイコンとして登録したものである。ここでは、図示のように、シーケンス番号に対応づけて図示の下記を予め登録する。
【００２８】
・条件見出し項目：
・アイコン：
次に、図４に示すフローチャートに示す順序に従い、図１の構成の動作を詳細に説明する。
【００２９】
図４において、Ｓ１１は、Ｎよりアイコンエリアを均等分割しアイコンを割当て、アイコン目次を表示する。これは、図２のフローチャートのＳ４で予め数えておいたアイコン数、即ち、図３の（ａ）の条件項目テーブル６を２次元的に表示する際の条件見出し項目に対応するアイコン数Ｎを取り出し、このアイコン数Ｎで、固定のアイコンエリアを均等分割し、各分割したエリアにアイコンを表示し、アイコン目次を完成する。
【００３０】
Ｓ１２は、先頭から条件見出し項目、条件明細項目を取り出して表示する。これは、図３の（ａ）の条件項目テーブル６の先頭から条件見出し項目および条件明細項目を取り出し、後述する図８の（ａ）の左側のＹ軸方向に図示の
・タイヤ＆ホイール
・195/65R14 89S(14×6JJスチールホイール)
などを表示する。
【００３１】
Ｓ１３は、条件見出し項目に、アイコンを取り出して□で表示する。これは、Ｓ１２で図８の（ａ）の左側のＹ軸方向に表示した条件見出し項目例えば
・タイヤ＆ホイール
の先頭の部分に図示□を設けてその中にアイコンを表示する。この□は、条件見出し項目である旨を表すアイコンである。
【００３２】
Ｓ１４は、条件明細項目に条件明細項目のアイコンを取り出して○で表示する。この○は、条件明細項目である旨を表すアイコンであって、この○の中に条件明細項目を特定するアイコンを図８の（ａ）図示のように併せて表示する。
【００３３】
Ｓ１５は、比較項目テーブルの先頭から表示する。これは、例えば図３の（ｂ）の比較項目テーブル７の先頭から取り出した項目名（グレード）を、図８の（ａ）の画面上の上段のＸ方向に表示する（例えば“ＺＳ  Ｓｐｏｒｔｓ  Ｓｅｌｅｃｔｉｏｎ”、“ＺＳ”などを図示のように表示する）。
【００３４】
Ｓ１６は、条件明細項目の選択処理を行う。これは、後述する図５のフローチャートに示すように、画面上で選択された条件明細項目を選択エリアに表示などする。
【００３５】
Ｓ１７は、スクロール処理を行う。これは、後述する図７に示すように、選択エリアのスクロールバーが選択されたことに対応して、選択された条件明細項目をスクロールして選択エリアに表示する。
【００３６】
以上によって、アイコンテーブル８、条件項目テーブル６、および比較項目テーブル７をもとに、例えば図８の（ａ）に示すように、左上にアイコン目次、左欄のＹ軸方向に条件見出し項目とアイコン□を表示、その配下の条件明細項目とアイコン○を表示、および上段のＸ軸方向に複数の比較対象の項目（グレード）を２次元的に表示し、アイコン目次からアイコンを選択して所望の条件見出し項目を先頭に迅速かつ分かり易く表示する。そして、画面の左側の条件明細項目が選択されたことに対応して、選択エリアに表示および上位の見出し項目のアイコン表示し、当該選択エリア内に表示された条件明細項目（更に必要に応じて選択エリア内でスクロールした他の条件明細項目）と、画面上の未選択の条件明細項目を任意にスクロールして同時に視覚的に比較することが可能となる。
【００３７】
図５は、本発明の条件明細項目選択処理フローチャートを示す。これは、図４のＳ１６の詳細フローチャートである。
図５において、Ｓ２１は、条件明細項目を元に、条件項目テーブル６の条件明細項目と条件見出し項目を取り出し、選択順に作業用テーブル１３に格納、及び選択エリアに表示する。これは、例えば後述する図８の（ａ）で画面上の表示領域中で条件明細項目である“スーパーストラットサスペンション”が選択されたことに対応して、この条件明細項目“スーパーストラットサスペンション”をもとに、図３の（ａ）の条件項目テーブル６の条件明細項目“スーパーストラットサスペンション”と対の条件見出し項目“足まわり”を取り出し、選択順に図６の作業用テーブル１３に図示のように格納、および図８の（ｂ）の選択エリアを設けて左側に条件明細項目“スーパーストラットサスペンション”を図示のように表示する。この際、選択エリアに他の条件明細項目が既に表示されていたときは、当該選択エリアが所定数を越えない場合は選択エリアを拡大してそこに条件明細項目を表示し、一方、所定数を越える場合には選択エリア内の条件明細項目をスクロールして追い出して空けてそこに新たな条件明細項目を表示する。この際、条件明細項目の先頭に、総称する条件見出し項目のアイコンを付加していずれに属するかを分かり易いように表示しておく。
【００３８】
Ｓ２２は、所定数を越えたか判別する。ＹＥＳの場合には、選択エリアに表示した条件明細項目が所定数を越えたと判明したので、Ｓ２３でスクロールを分割（選択エリアスクロールと選択エリア外スクロール）して各スクロールバーを表示する。即ち、選択エリアに表示した条件明細項目が所定数を越えた場合には、スクロールして古い条件明細項目が追い出されているので、それをスクロールして表示できるようにするため、選択エリアの枠の外側などにスクロールバー、例えば図８の（ｃ）のスクロールバーを表示する。一方、ＮＯの場合には、終了する。
【００３９】
以上によって、画面上の表示領域内で任意の条件明細項目が選択されたときに選択エリアに表示し、当該選択エリア内の条件明細項目と、表示領域内の条件選択項目をスクロールして任意のものを同時に表示して視覚的に比較する。選択エリア内から選択された条件明細項目がはみ出して非表示となってしまった場合には、選択エリアの枠の外側にスクロールバーが自動的に表示されるので、そのスクロールバーを選択して非表示となった選択された条件明細項目を選択エリアに表示させ、表示領域の非選択の条件明細項目とを視覚的に比較することが可能となる。
【００４０】
図６は、本発明の作業用テーブル例を示す。これは、図５のＳ２１で画面上で選択された条件明細項目をもとに、図３の（ａ）の条件項目テーブル６を参照してこの条件明細項目の見出し項目を取り出し、条件見出し項目と条件明細項目を選択順に格納したものである。この作業用テーブル１３に格納されたうちの選択順の新しいものを、図８の（ｃ）の選択エリアの下側から順番に表示する。作業用テーブル１３に、選択エリアの領域幅（例えば３行分）よりも多くの条件明細項目が格納されると、最新の条件明細項目から例えば３つ分のみが表示され、後は表示しない。この場合には、既述したようにスクロールバーが表示されるので、スクロールバーを選択して所望の条件明細項目を表示させることとなる。
【００４１】
図７は、本発明のスクロール処理フローチャートを示す。これは、図４のＳ１７の詳細フローチャートである。
図７において、Ｓ３１は、選択エリアのスクロールバーが選択されたか判別する。ＹＥＳの場合には、Ｓ３２で作業用テーブル１３のエントリをスクロール（上、下）して表示する。これにより、例えば図８の（ｃ）の選択エリア内に表示されている条件明細項目および非表示の条件詳細項目を格納した作業用テーブル１３内で上あるいは下方向にスクロールし、スクロール後の作業用テーブル１３から順番に選択エリアに下から上に向かって、選択エリアに表示できる分だけ表示する。表示できない分は更にスクロールして表示できる。一方、Ｓ３１のＮＯの場合には、終了する。
【００４２】
以上によって、図８の（ｃ）の選択エリア内に表示されない条件詳細項目があった場合、選択エリアのスクロールバーを選択して非表示の条件詳細項目を表示させることが可能となる。
【００４３】
図８は、本発明の表示例を示す。
図８の（ａ）は、初期状態を示す。この状態では、左上にアイコン目次（ここでは１０個のアイコン目次）を表示する。アイコン目次の直ぐ下に、見出し項目“タイヤ＆ホイール”、次に、当該見出し項目の配下の条件明細項目“195/65R14 89S(14×6JJ スチールホイール)"というように、図３の（ｂ）の条件項目テーブルを条件見出し項目と配下の条件明細項目を図示のように順次表示する。上段のＸ方向には、図３の（ｂ）の比較項目テーブル７の項目名であるグレード“ＺＳ  Ｓｐｏｒｔｓ  Ｓｅｌｅｃｔｉｏｎ”、“ＺＳ”を図示のように表示する。
【００４４】
図８の（ｂ）は、図８の（ａ）の初期状態のときに、条件明細項目“スーパーストラットサスペンション”を選択したことに対応して、表示された画面を示す。この画面では、選択された条件明細項目“スーパーストラットサスペンション”を生成された選択エリア内に表示すると共に、先頭にこの条件明細項目“スーパーストラットサスペンション”が属する（上位の）条件見出し項目“足まわり”のアイコンを付加して表示し、この切り出した条件明細項目が総称するいずれの条件見出し項目のものか一目で分かるようにそのアイコンを付加して表示している。
【００４５】
図８の（ｃ）は、選択した条件明細項目が所定数、ここでは３個以上となって選択エリアから追い出された非表示の条件明細項目が発生したので、当該選択エリアにスクロールバーが表示された状態を示す。この選択エリアのスクロールバーを選択し、非表示となった条件明細項目をスクロールして当該選択エリアに表示させることができる。
【００４６】
尚、本願発明では、説明を判り易くするために、総称する条件項目を条件見出し項目、その配下の条件項目を条件明細項目として説明したが、これら文言にこだわることなく、総称する条件項目と、その配下の条件項目とがあった場合に、その配下の条件項目を相互に比較し易くするために、この配下の条件項目を選択して選択エリアに固定的に表示し、非選択の配下の条件項目（および総称する条件項目）をスクロールして同時表示し、相互に視覚的に比較し易くするようにしたものであり、文言によってその範囲を制限するものではない。
【００４７】
【発明の効果】
以上説明したように、本発明によれば、選択した条件明細項目を選択エリアに表示およびグループ（総称）を表すアイコンを併せて表示すると共にスクロールして他の所望の条件明細項目を同時表示して視覚的に比較可能とする構成を採用しているため、簡単な操作で所望の複数の条件明細項目を同時に表示すると共に、非選択の条件明細項目をスクロールして任意の条件明細項目を併せて表示し、これらを同時に視覚的に比較することができる。これらにより、
（１）  条件明細項目が多数ある場合、比較を行うある特定の条件明細項目を１つあるいは複数選択して選択エリアに固定的に表示すると共に、非選択の条件明細項目をスクロールして併せて同時に表示し、これらを視覚的に比較することが簡単な操作によって可能となった。
【００４８】
（２）  また、条件見出し項目と配下の条件明細項目を通常は段落を下げて総称とその配下の関係を階層的に分かり易く表示するが、本発明では、同じ位置（例えば列）に表示し、先頭に例えばアイコン□を付加して総称する条件見出し項目である旨を表示し、先頭にアイコン○を付加してその配下の条件明細項目である旨を表示し、表示スペースの有効活用を図ると共に、条件明細項目を選択して選択エリアに表示したときは総称する条件見出し項目のアイコンを付加して表示し、いずれの総称する見出し項目に属するかを明示し、分かり易く表示することが可能となった。
【図面の簡単な説明】
【図１】本発明の１実施例構成図である。
【図２】本発明の登録フローチャートである。
【図３】本発明のテーブル例である。
【図４】本発明の動作説明フローチャートである。
【図５】本発明の条件明細項目選択処理フローチャートである。
【図６】本発明の作業用テーブル例である。
【図７】本発明のスクロール処理フローチャートである。
【図８】本発明の表示例である。
【符号の説明】
１：情報比較装置
２：条件明細選択手段
３：スクロールバー変更手段
４：スクロール手段
５：出力手段
６：条件項目テーブル
７：比較項目テーブル
８：アイコンテーブル
９：表示装置
１０：入力装置
１１：印字装置
１２：音声出力装置
１３：作業用テーブル
【図１】
0003727964.tif 000002
【図２】
0003727964.tif 000003
【図３】
0003727964.tif 000004
【図４】
0003727964.tif 000005
【図５】
0003727964.tif 000006
【図６】
0003727964.tif 000007
【図７】
0003727964.tif 000008
【図８】
0003727964.tif 000009